(57)【特許請求の範囲】
【請求項１】
飲料容器（１）の開口部（２）付近に取付可能なアダプター（３）と、このアダプター（３）に設けた取付穴（４）に挿通させたストロー（５）と、このストロー（５）の上端部に回動自在に取り付けた蓋（６）からなり、ストロー（５）の上壁（７）の一部と蓋（６）の上壁（８）の一部にそれぞれ吸引穴（９）（１０）を設け、蓋（６）を回動させて両吸引穴（９）（１０）を一致及び不一致の状態にできるようにし、ストロー（５）を弾力性を有するものとし、かつ、ストロー（５）の前記取付穴（４）に取り付ける部分及び蓋（６）を取り付ける部分を蛇腹状とし、さらに、蓋（６）は、内径をストロー（５）の最大外径よりも少し小さくした部分（１２）を有し、ストロー（５）に取り付けると、前記蛇腹状の部分に引っ掛かってはずれにくくなるようにしていることを特徴とする飲料吸引具。
【発明の詳細な説明】
【０００１】
【産業上の利用分野】
この発明は、ペットボトル等の飲料容器に取り付け、飲料を飲めるようにした吸引具に関するものである。
【０００２】
【従来の技術】
従来、ペットボトル等の飲料容器に入った飲料を飲む場合は、飲料容器のキャップを取り外し、飲料容器の上端の開口部に直接口をつけて飲んでいた。
【０００３】
しかし、飲料を飲んでいる間は、顔を上向けにし、飲料容器を傾けなければならないため、体裁が悪いと共に、自動車の運転中等の際は非常に危険であった。しかも、一旦飲むのを中断する際、再びキャップを取り付けなければならず、煩わしかった。
【０００４】
【発明が解決しようとする課題】
そこで、この発明は、飲料を飲むときに体裁が悪くならず、自動車の運転中でも安全で、しかも、一旦飲むのを中断するときも煩わしくならないようにすることができる飲料吸引具を提供することを課題とする。
【０００５】
【課題を解決するための手段】
前記課題を解決するため、この発明は次のような技術的手段を講じている。
【０００６】
この発明の飲料吸引具は、飲料容器１の開口部２付近に取付可能なアダプター３と、このアダプター３に設けた取付穴４に挿通させたストロー５と、このストロー５の上端部に回動自在に取り付けた蓋６からなり、ストロー５の上壁７の一部と蓋６の上壁８の一部にそれぞれ吸引穴９、１０を設け、蓋６を回動させて両吸引穴９、１０を一致及び不一致の状態にできるようにしている。
【０００７】
また、ストロー５を弾力性を有するものとし、かつ、ストロー５の前記取付穴４に取り付ける部分及び蓋６を取り付ける部分を蛇腹状とし、さらに、蓋６は、内径をストロー５の最大外径よりも少し小さくした部分１２を有し、ストロー５に取り付けると、前記蛇腹状の部分に引っ掛かってはずれにくくなるようにしている。
【０００８】
【発明の実施の形態】
以下、この発明の一実施形態を図面を参照して説明する。
【０００９】
この発明の飲料吸引具は、飲料容器１の開口部２付近に取付可能なアダプター３と、このアダプター３に設けた取付穴４に挿通させたストロー５と、このストロー５の上端部に回動自在に取り付けた蓋６からなり、ストロー５の上壁７の一部と蓋６の上壁８の一部にそれぞれ吸引穴９、１０を設け、蓋６を回動させて両吸引穴９、１０を一致及び不一致の状態にできるようにしたものである。
【００１０】
図１は、この飲料吸引具を示す図、図２は、この飲料吸引具を飲料容器１に取り付けた状態を示す図、図３はその断面を示す図である。この実施形態の飲料吸引具は、飲料容器１として５００ｃｃのペットボトルに取り付けられるようにしているが、特に飲料容器１の種類（ガラス瓶等）や大きさは限定されない。
【００１１】
アダプター３は、合成樹脂製で、通常の飲料容器１の開口部２に螺着できるようにしたキャップと同形状のもので、その上部壁の中央にストロー５を挿通する取付穴４を設けている。
【００１２】
ストロー５は、合成樹脂製で全長１５cm程度としており、上端に上壁７を有し、前記取付穴４に取り付ける部分から上方の上部１１（約８cm）を蛇腹状として柔軟に曲げられるようにしている。
【００１３】
ストロー５は、外径を前記取付穴４より若干大きくしていると共に、弾力性を有しており、前記取付穴４に押し込むことにより、アダプター３に固定されるようになっている。また、ストロー５の前記取付穴４に取り付けた部分は蛇腹状となっているため、アダプター３からはずれにくい。
【００１４】
この飲料吸引具は、ストロー５により、飲料を飲むときに上向けにしたり、飲料容器１を傾けたりする必要がない。また、ストロー５の上部１１が蛇腹状であるため、この上部１１を図２のように適宜角度に曲げて飲料を飲み易くすることができる。なお、飲料容器１が倒れたときに飲料が漏れるのを防止するため、取付穴４とストロー５の隙間を塞ぐシールを貼ることが望ましい。
【００１５】
蓋６は、弾力性のある合成樹脂で形成された、上端に上壁８を有する円筒形状のもので、ストロー５の頂部に嵌合させられるようになっており、内径をストロー５の最大外径よりも少し小さくした部分１２を有し、ストロー５に取り付けると、上部１１の蛇腹に引っ掛かってはずれにくくなるようにしている。なお、蓋６を蛇腹状としてもよい。
【００１６】
ストロー５の上壁７の一部と蓋６の上壁８の一部には、それぞれ４分の１円〜３分の１円程度の吸引穴９、１０を設けている。これにより、飲料を飲みたいときには、蓋６を回動させて両吸引穴９、１０を一致させ、飲料が出るようにし、飲料を飲むのを一時中断するときは、蓋６を回動させて両吸引穴９、１０を不一致の状態にし、飲料が出ないようにすることができる。
【００１７】
また、ストロー５の下端部は径が小さくなっており、２リットルサイズ等の大きな飲料容器に使用する場合に、図４のように延長用ストロー１３を継ぎ足すことができる。さらに、様々な大きさの飲料容器１に対応できるように、太径のストローに細径のストローを出没自在とした伸縮式のストローとしてもよい。
【００１８】
さらに、飲料の入った飲料容器１に取り付けた状態で、冷凍庫で冷凍することにより、シャーベット状になった飲料を吸引することもできる。また、ストロー５を短く切り、飲料容器１を醤油、ソースやドレッシング等の調味料入れとして利用してもよい。
【００１９】
ストロー５は、図５のように、その本体５ａの上端部に延長部５ｂを設けたものとしてもよい。延長部５ｂは、柔軟性のある合成樹脂等からなるもので、その上部１１ｂを、図１のストロー５の上部１１と同様に、上端に上壁７ｂと吸引穴９ｂを設け、蛇腹状とした構成としている。延長部５ｂは、３０cm〜７０cm程度の長さとし、利用者が携帯するバッグ等に飲料容器１を収容した状態で、飲料を飲むことができるようにするとよい。飲料容器１には、保冷又は保温用の袋を被せておくことが望ましい。
【００２０】
延長部５ｂは、図６のように、二股等、複数に枝分かれしたものとしてもよい。また、この延長部５ｂは取り外し可能としているが、本体５ａに一体に形成したものとしてもよい。
【００２１】
図７は、紙パックのような飲料容器１に使用できるようにしたアダプター３を示す図である。このアダプター３は、筒状とした本体３ａの一端の周囲に縁３ｂを形成したもので、図８のように本体３ａを飲料容器１の開口部２に差し込んで使用する。
【００２２】
飲料容器１が、王冠で密閉される瓶やプルトップ式の缶の場合は、アダプター３を、これらの飲料容器１の上端部外周縁に嵌められるようにしたゴム製等のキャップとするとよい。その他、各種飲料容器１の開口部２に対応できるように、アダプター３を取り替えて使用することもできる。
【００２３】
【発明の効果】
この発明の飲料吸引具は、上述のような構成を有しており、飲料を飲むときに体裁が悪くならず、自動車の運転中でも安全で、しかも、一旦飲むのを中断するときも煩わしくならない。
【図面の簡単な説明】
【図１】 この発明の実施形態の飲料吸引具の斜視図。
【図２】 この発明の実施形態の飲料吸引具を飲料容器に取り付けた場合の側面図。
【図３】 この発明の実施形態の飲料吸引具を飲料容器に取り付けた場合の一部拡大断面図。
【図４】 この発明の実施形態の飲料吸引具に延長用ストローを継ぎ足した場合の側面図。
【図５】 この発明の他の実施形態の飲料吸引具の斜視図。
【図６】 この発明の他の実施形態の飲料吸引具の斜視図。
【図７】 この発明の他の実施形態の飲料吸引具のアダプタ−の斜視図。
【図８】 この発明の他の実施形態の飲料吸引具を飲料容器に取り付けた場合の説明図。
【符号の説明】
１ 飲料容器
２ 開口部
３ アダプター
４ 取付穴
５ ストロー
６ 蓋
９ 吸引穴
１０ 吸引穴
【図１】
0003796643.tif 000002
【図２】
0003796643.tif 000003
【図３】
0003796643.tif 000004
【図４】
0003796643.tif 000005
【図５】
0003796643.tif 000006
【図６】
0003796643.tif 000007
【図７】
0003796643.tif 000008
【図８】
0003796643.tif 000009